(57)【要約】      （修正有）【課題】ライトソースとしてロープライトを使用することにより防水性を高めるネオンライトを提供する。【解決手段】本体は互いに組合される透明のＵ字形カバー51とコ字形のベース52を有し、ベースの中央にロープライト6を設置するための湾弧状の位置決め座が設けられると共に、その一方の壁の両端にカットアウト523が設けられ、両端に封閉カバーが設けられ、ロープライトには、一端にプラグ、他端にコネクタを有する電源コードが設けられ、ロープライトに交直流変換のコンバーター62が設けられると共に、ロープライトの内側にカラーゲルパイプが設けられ、中空部に複数の凹部が形成されることにより、ワイヤーと抵抗器を中空部に設置させると共に、発光ダイオードを凹部に設置させ、電源コードをベースのカットアウトから本体の外側へ延出させる。【選択図】図１
0003102344.tif 000002
【実用新案登録請求の範囲】
【請求項１】
本体（５）を有するネオンライトであって、
本体（５）の内部にロープライト（６）が設けられ、本体（５）は互いに組合される透明のＵ字形カバー（５１）とコ字形のベース（５２）を有し、ベース（５２）の中央にロープライト（６）を設置するための湾弧状の位置決め座（５２２）が設けられると共に、その一方の壁の両端にカットアウト（５２３）が設けられ、Ｕ字形カバー（５１）とベース（５２）の両端における開口に封閉カバー（５４）が設けられ、ロープライト（６）には、一端にプラグ（６１）、他端にコネクタ（６１２）を有する電源コード（６１１）が設けられ、更に、ロープライト（６）に交直流変換のコンバーター（６２）が設けられると共に、そのコンバーター（６２）に接続されるコネクタ（６１３）に前記電源コード（６１１）のコネクタ（６１２）が連結され、ロープライト（６）の内側にカラーゲルパイプ（６３）が設けられ、そのカラーゲルパイプ（６３）の内部に中空部（６３１）が形成され、中空部（６３１）に複数の凹部（６３２）が形成されることにより、ワイヤー（６５）と抵抗器（６６）を中空部（６３１）に設置させると共に、発光ダイオード（６４）を凹部（６３２）に設置させ、電源コード（６１１）をベース（５２）のカットアウト（５２３）から本体（５）の外側へ延出させることを特徴とするネオンライト。
【請求項２】
前記ロープライト（６）のカラーゲルパイプ（６３）おけるプラグ（６１）と異なる端に封閉カバー（６７）が設けられ、その封閉カバー（６７）にコネクタ（６９２）を有する連結コード（６８）が設けられると共に、コネクタ（６９２）に該コネクタ（６９２）を封閉するための封閉用のコネクタ（６９１）が設けられることを特徴とする請求項１に記載のネオンライト。
【請求項３】
前記ベース（５２）の底部両側に外側へ突出する係合リブ（５２４）が設けられ、ベース（５２）の底部に位置決め部材（５３）が設けられると共に、該位置決め部材（５３）の両側にベース（５２）の係合リブ（５２４）と対応する係合ブロック（５３１）が設けられることを特徴とする請求項１又は２に記載のネオンライト。
【考案の詳細な説明】
【技術分野】
【０００１】
本考案は、特にライトソースとしてロープライトを使用することにより防水性を高めるネオンライトに関するものである。
【背景技術】
【０００２】
図６に示すように、従来のネオンライトは、透明又は半透明のパイプ（１）と、パイプ（１）を支持するための支持座（２）と、パイプ（１）の内部に設けられる回路板（３）と、パイプ（１）の両端における開口に設けられる封閉カバー（４）とから構成することにより、水がパイプ（１）の内部にしみ込むことによる回路板（３）の破損を防止する。  該回路板（３）に複数の発光ダイオード（３０１）が設けられることにより、該発光ダイオード（３０１）からの光は、透明又は半透明のパイプ（１）を透過し柔らかい光線となって放射される。
【考案の開示】
【考案が解決しようとする課題】
【０００３】
しかしながら、従来のネオンライトの連結箇所はパイプ（１）と支持座（２）の間に設けられると共に、封閉カバー（４）とパイプ（１）、及び回路板（３）とパイプ（１）を接着によって連結するため、防水性が良くないと共に、回路板（３）にしみ込んだ水により破損する恐れがある。例えば米国特許第6,５５７,２８２、６,１５８,８８２、６,２８３,６１２号により案出されたネオンライトがその問題を有する例である。
又、米国特許第６,３６１,１８６号に開示されたネオンライトは、不透明のベースに発光ダイオードが設けられると共に、該発光ダイオードの上に製造及び組立が簡単な透明のパイプ材が設けられることにより、コストダウンを図っているが、これも防水性に良くないので、高価な回路板が必要となる。
そこで、案出されたのが本考案であって、ライトソースとしてロープライトを使用することにより防水性を高めるネオンライトを提供することを目的としている。
【課題を解決するための手段】
【０００４】
本願の請求項１の考案は、本体（５）を有するネオンライトであって、
本体（５）の内部にロープライト（６）が設けられ、本体（５）は互いに組合される透明のＵ字形カバー（５１）とコ字形のベース（５２）を有し、ベース（５２）の中央にロープライト（６）を設置するための湾弧状の位置決め座（５２２）が設けられると共に、その一方の壁の両端にカットアウト（５２３）が設けられ、Ｕ字形カバー（５１）とベース（５２）の両端における開口に封閉カバー（５４）が設けられ、ロープライト（６）には、一端にプラグ（６１）、他端にコネクタ（６１２）を有する電源コード（６１１）が設けられ、更に、ロープライト（６）に交直流変換のコンバーター（６２）が設けられると共に、そのコンバーター（６２）に接続されるコネクタ（６１３）に前記電源コード（６１１）のコネクタ（６１２）が連結され、ロープライト（６）の内側にカラーゲルパイプ（６３）が設けられ、そのカラーゲルパイプ（６３）の内部に中空部（６３１）が形成され、中空部（６３１）に複数の凹部（６３２）が形成されることにより、ワイヤー（６５）と抵抗器（６６）を中空部（６３１）に設置させると共に、発光ダイオード（６４）を凹部（６３２）に設置させ、電源コード（６１１）をベース（５２）のカットアウト（５２３）から本体（５）の外側へ延出させることを特徴とするネオンライト及び、
本願の請求項２の考案は、前記ロープライト（６）のカラーゲルパイプ（６３）おけるプラグ（６１）と異なる端に封閉カバー（６７）が設けられ、その封閉カバー（６７）にコネクタ（６９２）を有する連結コード（６８）が設けられると共に、コネクタ（６９２）に該コネクタ（６９２）を封閉するための封閉用のコネクタ（６９１）が設けられることを特徴とする請求項１に記載のネオンライト及び、
本願の請求項３の考案は、前記ベース（５２）の底部両側に外側へ突出する係合リブ（５２４）が設けられ、ベース（５２）の底部に位置決め部材（５３）が設けられると共に、該位置決め部材（５３）の両側にベース（５２）の係合リブ（５２４）と対応する係合ブロック（５３１）が設けられることを特徴とする請求項１又は２に記載のネオンライト、を提供する。
【考案の効果】
【０００５】
本考案は上記の課題を解決するものであり、本体の内部にロープライトが設けられ、そのロープライトの内側に、内部に発光ダイオードとワイヤーと抵抗器を有するカラーゲルパイプが設けられることにより、二重の優れた防水効果を達成することができる。
【考案を実施するための最良の形態】
【０００６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
図１は本考案に係るネオンライトの分解斜視図であり、図２は本考案に係るネオンライトの斜視図であり、図３は本考案に係るネオンライトにおけるロープライトの構造を示す斜視図であり、図４は本考案に係るネオンライトにおけるコンバーターの分解斜視図であり、図５は本考案に係るネオンライトにおけるロープライトの内部構造を示す斜視図である。
図１及び図２に示すように、本考案に係るネオンライトは本体（５）とロープライト（６）を備え、本体（５）は互いに組合される透明のＵ字形カバー（５１）とコ字形のベース（５２）を有し、Ｕ字形カバー（５１）の平行辺に嵌合辺（５１１）が設けられると共に、ベース（５２）の両側にＵ字形カバー（５１）の嵌合辺（５１１）と対応する嵌合辺（５２１）が設けられ、ベース（５２）の中央に湾弧状の位置決め座（５２２）が設けられると共に、その一方の壁の両端にカットアウト（５２３）が設けられ、又、ベース（５２）の底部両側に外側へ突出する係合リブ（５２４）が設けられ、ベース（５２）の底部下方に位置決め部材（５３）が設けられると共に、該位置決め部材（５３）の両側にベース（５２）の係合リブ（５２４）と対応する係合ブロック（５３１）が設けられ、Ｕ字形カバー（５１）とベース（５２）の両端における開口に封閉カバー（５４）が設けられる。
図３に示すように、前記ロープライト（６）にプラグ（６１）を有する電源コード（６１１）が設けられ、電源コード（６１１）におけるプラグ（６１）と異なる端にコネクタ（６１２）が設けられ、ロープライト（６）の一端に交直流変換のコンバーター（６２）が設けられると共に、コンバーター（６２）に接続されるコネクタ（６１３）に電源コード（６１１）のコネクタ（６１２）が連結される。
ロープライト（６）の内側にカラーゲルパイプ（６３）が設けられると共に、内部に発光ダイオード（６４）、ワイヤー（６５）及び抵抗器（６６）が設けられ、プラグ（６１）の異端におけるロープライト（６）のカラーゲルパイプ（６３）に封閉カバー（６７）が設けられ、又、複数のロープライト（６）を接続するために、封閉カバー（６７）にコネクタ（６９２）を有する連結コード（６８）が設けられ、一方、他のロープライト（６）と接続しない場合に、コネクタ（６９２）と連結する封閉用のコネクタ（６９１）が設けられることにより、該コネクタ（６９２）を封閉させる。
図４に示すように、前記コンバーター（６２）は回路板（６２１）とケース（６２２）を有し、ケース（６２２）は内部における上ケース（６２２１）と下ケース（６２２２）、及び外部における上カバー（６２２３）と下カバー（６２２４）とを有し、回路板（６２１）は前記電源コード（６１１）と電気接続し、上ケース（６２２１）と下ケース（６２２２）を互いに組合せることによって回路板（６２１）を内部に固定させ、更に、上カバー（６２２３）と下カバー（６２２４）を互いに組合せ、上ケース（６２２１）、下ケース（６２２２）を内部に固定させることにより、防水性が向上する。
図５に示すように、前記カラーゲルパイプ（６３）の内部に中空部（６３１）が形成されると共に、中空部（６３１）に複数の凹部（６３２）が形成されることにより、ワイヤー（６５）と抵抗器（６６）を中空部（６３１）に設置させると共に、発光ダイオード（６４）を凹部（６３２）に設置させることができる。
更に、図１及び図２に示すように、本考案に係るネオンライトを組合せる場合、先ず嵌合辺（５１１）（５２１）によって本体（５）とＵ字形カバー（５１）を組合せ、電源コード（６１１）又は連結コード（６８）をベース（５２）のカットアウト（５２３）から本体（５）の外側へ延出させ、係合ブロック（５３１）と係合リブ（５２４）によって位置決め部材（５３）をベース（５２）の底部下方に設置させ、最後に、本体（５）の両端に封閉カバー（５４）を設置することにより、ロープライト（６）を本体（５）の内部に設置する。
又、前記ロープライト（６）はベース（５２）の中央における金属の位置決め座（５２２）に設置するので、ロープライト（６）における発光ダイオード（６４）からの光は透明のＵ字形カバー（５１）を透過し外側へ放射される。
又、前記カラーゲルパイプ（６３）は、モールドによって発光ダイオード（６４）とワイヤー（６５）と抵抗器（６６）に射出することにより、発光ダイオード（６４）とワイヤー（６５）と抵抗器（６６）をカラーゲルパイプ（６３）に一体形成できるので、優れた防水性を達成することができ、従って、雨天、高湿気の環境においても、ロープライト（６）の防水性も完璧である。更に、本考案は製造が簡単であるので、製造コストを下げることも達成できる。
【産業上の利用可能性】
【０００７】
本考案は上記の構成を有するので、本体の内部にロープライトが設けられ、そのロープライトの内側に内部に発光ダイオードとワイヤーと抵抗器を有するカラーゲルパイプが設けられることにより、二重の優れた防水効果を達成することができる。
【図面の簡単な説明】
【０００８】
【図１】本考案に係るネオンライトの分解斜視図である。
【図２】本考案に係るネオンライトの斜視図である。
【図３】本考案に係るネオンライトにおけるロープライトの構造を示す斜視図である。
【図４】本考案に係るネオンライトにおけるコンバーターの分解斜視図である。
【図５】本考案に係るネオンライトにおけるロープライトの内部構造を示す斜視図である。
【図６】従来のネオンライトを示す一部分解斜視図である。
【符号の説明】
【０００９】
１          パイプ
２          支持座
３          回路板
３０１      発光ダイオード
４          封閉カバー
５          本体
５１        Ｕ字形カバー
５１１      嵌合辺
５２        ベース
５２１      嵌合辺
５２２      位置決め座
５２３      カットアウト
５２４      係合リブ
５３        位置決め部材
５３１      係合ブロック
５４        封閉カバー
６          ロープライト
６１        プラグ
６１１      電源コード
６１２      コネクタ
６１３      コネクタ
６２        コンバーター
６２１      回路板
６２２      ケース
６２２１    上ケース
６２２２    下ケース
６２２３    上カバー
６２２４    下カバー
６３        カラーゲルパイプ
６３１      中空部
６３２      凹部
６４        発光ダイオード
６５        ワイヤー
６６        抵抗器
６７        封閉カバー
６８        連結コード
６９１      コネクタ
６９２      コネクタ
【図１】
0003102344.tif 000003
【図２】
0003102344.tif 000004
【図３】
0003102344.tif 000005
【図４】
0003102344.tif 000006
【図５】
0003102344.tif 000007
【図６】
0003102344.tif 000008